(57)【要約】【課題】射出成形サイクルのサイクル時間を短縮するあたり、最適な可動部の物理量の設定や入出力信号のタイミング調整を行うことを可能にする射出成形システム及び閲覧画面表示方法を提供する。【解決手段】射出成形システムは、撮影装置が撮影した射出成形機の可動部の動作画像を取得する画像取得部と、射出成形機から可動部の物理量を取得する物理量取得部と、射出成形機と、射出成形機の可動部に連動して動作を行うロボットとの間の入出力信号の信号状態を取得する信号状態取得部と、画像取得部が取得した所定時間における動作画像と、物理量取得部が取得した所定時間における物理量と、信号状態取得部が取得した所定時間における信号状態とを同時に閲覧可能な閲覧画面を、表示装置に出力する表示編集処理部と、を備える。【選択図】図１
2020175534.tif 000002
【特許請求の範囲】
【請求項１】
撮影装置が撮影した射出成形機の可動部の動作画像を取得する画像取得部と、
前記射出成形機から前記可動部の物理量を取得する物理量取得部と、
前記射出成形機と、前記射出成形機の前記可動部に連動して動作を行う連動装置との間の入出力信号の信号状態を取得する信号状態取得部と、
前記画像取得部が取得した所定時間における前記動作画像と、前記物理量取得部が取得した前記所定時間における前記物理量と、前記信号状態取得部が取得した前記所定時間における前記信号状態とを同時に閲覧可能な閲覧画面を、表示装置に出力する表示編集処理部と、
を備える射出成形システム。
【請求項２】
請求項１に記載の射出成形システムにおいて、
各取得部が取得した各々の情報を、時間情報に対応付けて記憶装置に記憶させる情報記憶処理部を備え、
前記表示編集処理部は、前記情報記憶処理部により前記記憶装置から、前記所定時間に対応した各々の前記情報を抽出させて、抽出した各々の前記情報を含む前記閲覧画面を、前記表示装置に出力する、射出成形システム。
【請求項３】
請求項１又は請求項２に記載の射出成形システムにおいて、
前記物理量取得部が取得した前記物理量を成形サイクルの時間経過に対応させた物理量グラフを生成する第１グラフ生成部と、
前記信号状態取得部が取得した前記信号状態を前記成形サイクルの時間経過に対応させた信号状態グラフを生成する第２グラフ生成部と、
を備え、
前記表示編集処理部は、前記第１グラフ生成部により生成した前記物理量グラフと、前記第２グラフ生成部により生成した前記信号状態グラフとを含む前記閲覧画面を、前記表示装置に出力する、射出成形システム。
【請求項４】
請求項３に記載の射出成形システムにおいて、
前記成形サイクルの時間経過に対応させて前記所定時間の設定及び表示が可能な再生時間出力部を備え、
前記表示編集処理部は、前記再生時間出力部を前記閲覧画面にさらに出力する、射出成形システム。
【請求項５】
請求項４に記載の射出成形システムにおいて、
前記表示編集処理部は、前記動作画像を、前記成形サイクルの時間経過にしたがって再生表示させ、前記再生時間出力部の前記所定時間の表示を、再生表示に伴って変更させる、射出成形システム。
【請求項６】
請求項５に記載の射出成形システムにおいて、
前記動作画像の再生表示速度の設定及び表示が可能な再生速度出力部を備え、
前記表示編集処理部は、前記再生速度出力部を前記閲覧画面にさらに出力し、前記動作画像を、前記再生速度出力部により設定された前記再生表示速度にしたがって再生表示させる、射出成形システム。
【請求項７】
請求項１から請求項６までのいずれか一項に記載の射出成形システムにおいて、
前記射出成形機の動作プログラムにおいて実行中の工程情報を取得する工程取得部を備え、
前記表示編集処理部は、前記工程取得部が取得した前記所定時間における前記工程情報をさらに含む前記閲覧画面を、前記表示装置に出力する、射出成形システム。
【請求項８】
射出成形機と、前記射出成形機の可動部に連動して動作を行う連動装置と、撮影装置と、表示装置とに対して接続されたコンピュータが、
前記撮影装置が撮影した前記射出成形機の前記可動部の動作画像を取得する画像取得ステップと、
前記射出成形機から前記可動部の物理量を取得する物理量取得ステップと、
前記射出成形機と、前記連動装置との間の入出力信号の信号状態を取得する信号状態取得ステップと、
前記画像取得ステップが取得した所定時間における前記動作画像と、前記物理量取得ステップが取得した前記所定時間における前記物理量と、前記信号状態取得ステップが取得した前記所定時間における前記信号状態とを同時に閲覧可能な閲覧画面を、前記表示装置に出力する表示編集処理ステップと、
を含む、閲覧画面表示方法。
【発明の詳細な説明】
【技術分野】
【０００１】
本発明は、射出成形機の動作に係る情報を表示させる射出成形システム及び閲覧画面表示方法に関する。
【背景技術】
【０００２】
射出成形では、射出成形機の本体に、成形品を取り出すための、例えば、ロボット等の取出装置を連動させて、成形品の取出しやインサート成形を行うことが行われている。例えば、成形品取り出しの連動動作においては、射出成形機の突出し機構を使用して成形品を金型から突き出す動作と、取出装置が成形品を把持する動作とを連動させる必要がある。また、このような射出成形に係る射出成形機と、取出装置等の射出成形機に連動させる装置との間では、取り出し操作を確実に行う必要がある。
【０００３】
このような射出成形機における動作の監視や制御に適用されるものとして、ディスク基板を射出圧縮成形する射出成形機に採用されて、ディスク基板の成形時における作動データをディスプレイに表示するモニタ装置において、前記射出成形機に設けられたセンサの検出信号に基づいて、該射出成形機における射出速度，射出圧力，型開量，型締圧力，スクリュ位置のうちの少なくとも４つの作動データを、同時に若しくは選択的に、経時的な変化を示す波形状態で前記ディスプレイに表示する第一の画像表示手段を設けると共に、該射出成形機の射出ゲートを閉じるゲートカット時を、前記第一の画像表示手段によって表示される作動データと併せて、前記ディスプレイに表示する第二の画像表示手段を、設けたことを特徴とするディスク基板の射出成形機におけるモニタ装置が知られている（例えば、特許文献１）。
【０００４】
射出成形においても、成形品を短時間に大量に製造する必要があるため、効率化が求められている。効率化を行うためには、射出成形サイクルのサイクル時間を短縮することが考えられる。その場合、例えば、成形品の取り出し動作等の成形品の品質には影響しない工程を短縮する必要がある。そして、成形品の取り出し動作を短縮するためには、突出し機構の動作位置や速度等の物理量とインタロック信号の出力タイミングとを調整することが必要になる。しかしながら、サイクル時間を短縮しようとすればするほど、その物理量の設定やタイミング調整は困難であり、最適な設定や調整を行うためには、取り出し動作に関する十分な知識と経験が必要であった。また、同様の課題は、ロボットによるインサート成形でも発生している。
【先行技術文献】
【特許文献】
【０００５】
【特許文献１】特開２０００−１５６７９号公報
【発明の概要】
【発明が解決しようとする課題】
【０００６】
そこで、射出成形サイクルのサイクル時間を短縮するあたり、最適な可動部の物理量の設定や入出力信号のタイミング調整を行うための仕組みが望まれている。
【課題を解決するための手段】
【０００７】
（１）本開示の一態様は、射出成形システムが、撮影装置が撮影した射出成形機の可動部の動作画像を取得する画像取得部と、前記射出成形機から前記可動部の物理量を取得する物理量取得部と、前記射出成形機と、前記射出成形機の前記可動部に連動して動作を行う連動装置との間の入出力信号の信号状態を取得する信号状態取得部と、前記画像取得部が取得した所定時間における前記動作画像と、前記物理量取得部が取得した前記所定時間における前記物理量と、前記信号状態取得部が取得した前記所定時間における前記信号状態とを同時に閲覧可能な閲覧画面を、表示装置に出力する表示編集処理部と、を備える。
【０００８】
（２）本開示の一態様は、射出成形機と、前記射出成形機の可動部に連動して動作を行う連動装置と、撮影装置と、表示装置とに対して接続された射出成形システムが、前記撮影装置が撮影した前記射出成形機の前記可動部の動作画像を取得する画像取得ステップと、前記射出成形機から前記可動部の物理量を取得する物理量取得ステップと、前記射出成形機と、前記連動装置との間の入出力信号の信号状態を取得する信号状態取得ステップと、前記画像取得ステップが取得した所定時間における前記動作画像と、前記物理量取得ステップが取得した前記所定時間における前記物理量と、前記信号状態取得ステップが取得した前記所定時間における前記信号状態とを同時に閲覧可能な閲覧画面を、前記表示装置に出力する表示編集処理ステップと、を含む。
【発明の効果】
【０００９】
一態様によれば、射出成形サイクルのサイクル時間を短縮するあたり、最適な可動部の物理量の設定や入出力信号のタイミング調整を行うことを可能にする射出成形システム及び閲覧画面表示方法を提供することができる。
【図面の簡単な説明】
【００１０】
【図１】本実施形態に係る射出成形システムの機能ブロック図である。
【図２】本実施形態に係る情報処理装置による情報取得処理を示すフローチャートである。
【図３】本実施形態に係る記憶装置に記憶される各種データの例を示す図である。
【図４】本実施形態に係る情報処理装置による閲覧画面処理を示すフローチャートである。
【図５】本実施形態に係る表示装置での表示例を示す図である。
【図６】本実施形態に係る表示装置での他の表示例を示す図である。
【発明を実施するための形態】
【００１１】
（実施形態）
まず、一態様の実施形態の概略を説明する。本実施形態は、射出成形機の動作と、この射出成形機に連動して動作を行うロボットの動作とに関する情報を、表示装置に表示させることで、射出成形サイクルのサイクル時間を短縮するあたり、最適な可動部の物理量の設定や入出力信号のタイミング調整を行うことを可能にしたものに関する。
【００１２】
次に、本実施形態である射出成形システム１００の構成について、図１を参照して説明をする。
図１に示す射出成形システム１００は、情報処理装置１と、射出成形機４と、ロボット５（連動装置）と、撮影装置６と、表示装置７と、記憶装置８とを備えている。
射出成形システム１００は、情報処理装置１が、射出成形機４の動作画像と、射出成形機４及びロボット５の入出力信号の信号状態等を含む各々の動作に伴って変化する変化量とを同時に閲覧可能な状態にして、表示装置７に出力する。そうすることで、射出成形サイクルのサイクル時間を短縮するあたり、表示装置７に表示された情報に基づいて、射出成形機４及びロボット５を監視する作業者等が最適な可動部の物理量の設定や入出力信号のタイミング調整を行うことを可能にする。
【００１３】
情報処理装置１と射出成形機４との間、及び、情報処理装置１とロボット５との間は、例えば、ネットワークを介して接続されるか、又は、接続インタフェースを介して直接接続されることで、各々通信可能に接続されている。
また、情報処理装置１は、撮影装置６と、表示装置７と、記憶装置８とに対して通信可能に接続されている。
さらに、射出成形機４とロボット５とは、互いに接続されており、射出成形システム１００において、射出成形機４とロボット５とは、互いに連動して動作する。
【００１４】
［情報処理装置１］
情報処理装置１は、成形サイクルにおける射出成形機４の状態と、ロボット５の状態とを取得して、表示装置７に出力する装置である。
情報処理装置１は、例えば、パーソナルコンピュータ（ＰＣ）である。情報処理装置１は、その他、タブレット端末、スマートフォン等の任意の端末装置であってもよい。
【００１５】
情報処理装置１は、制御部１０と、記憶部２０と、通信部２９とを備える。
制御部１０は、ＣＰＵ（中央処理装置）であってよく、記憶部２０に記憶された情報処理装置１を制御する各種のプログラムを実行することにより、情報処理装置１を統括制御する。
制御部１０は、画像取得部１１と、物理量取得部１２と、信号状態取得部１３と、工程取得部１４と、グラフ生成部１５（第１グラフ生成部、第２グラフ生成部）と、表示編集処理部１６とを備える。また、画像取得部１１と、物理量取得部１２と、信号状態取得部１３と、工程取得部１４とは、情報記憶処理部としても機能する。これらの各機能部は、制御部１０が記憶部２０に格納された処理プログラム２１を実行することにより実現される。
【００１６】
画像取得部１１は、撮影装置６が撮影した射出成形機４の可動部４７に係る動作画像を取得する。画像取得部１１は、例えば、射出成形サイクルの開始から終了までを１つの動画像として、可動部４７の動作画像を取得する。また、画像取得部１１は、常に射出成形機４の可動部４７の動作画像を取得してもよい。
物理量取得部１２は、射出成形機４から可動部４７の物理量を取得する。物理量取得部１２は、可動部４７の物理量として、例えば、可動部４７の位置及び可動部４７の速度といった、可動部４７の変化量を取得する。物理量取得部１２は、射出成形機４の可動部４７の位置として、例えば、射出成形機４の成形品（製品）突出し動作に伴う部材の位置を取得する。また、物理量取得部１２は、位置に変化があった場合には、その動作速度を取得する。
【００１７】
信号状態取得部１３は、射出成形機４と、射出成形機４の可動部４７に連動して動作を行うロボット５との間の入出力信号の信号状態を取得する。入出力信号としては、例えば、金型内から成形品を取り出す動作の場合には、射出成形機４からロボット５に対する金型開き完了信号や、ロボット５から射出成形機４に対する突出し開始信号、成形サイクル開始信号等の動作タイミングの制御のためのインタロック信号がある。
工程取得部１４は、射出成形機４が実行する動作プログラム４６のステップを、工程情報として取得する。
【００１８】
グラフ生成部１５は、物理量取得部１２が取得した物理量を成形サイクルの時間経過に対応させて表した物理量グラフを生成する。また、グラフ生成部１５は、信号状態取得部１３が取得した信号状態を成形サイクルの時間経過に対応させて表した信号状態グラフを生成する。
表示編集処理部１６は、画像取得部１１が取得した動作画像と、グラフ生成部１５によって生成された物理量グラフ及び信号状態グラフと、工程取得部１４が取得した工程情報とを、同時に閲覧可能にした閲覧画面を、表示装置７に出力する。
【００１９】
記憶部２０は、制御部１０により実行されるプログラム等を記憶する記憶領域である。記憶部２０は、前述した制御部１０の各種機能を実行する処理プログラム２１を記憶している。
通信部２９は、例えば、射出成形機４及びロボット５等とデータの送受信を行う通信制御デバイスである。また、通信部２９は、例えば、ＲＳ２３２Ｃ用コネクタ等の所定のコネクタによって構成され、撮影装置６、表示装置７及び記憶装置８との間で直接接続するための通信制御デバイスである。
【００２０】
［射出成形機４］
射出成形機４は、例えば、高温で溶融した樹脂を金型に注入した上で、樹脂を冷却することで成形品を製造する機械である。
射出成形機４は、制御部４０と、記憶部４５と、可動部４７と、通信部４９とを備える。
制御部４０は、ＣＰＵであってよく、記憶部４５に記憶された射出成形機４を制御する各種のプログラムを実行することにより、射出成形機４を統括制御する。
制御部４０は、可動部制御部４１と、信号処理部４２とを備える。これらの各機能部は、制御部４０が記憶部４５に格納された動作プログラム４６を実行することにより実現される。
【００２１】
可動部制御部４１は、動作プログラム４６にしたがって、可動部４７の動作を制御する。
信号処理部４２は、動作プログラム４６にしたがって、例えば、射出成形機４が所定の状態になった場合に、ロボット５に対して送出する信号に対する処理を行う。また、信号処理部４２は、射出成形機４がロボット５から受信した信号に対する処理を行う。
【００２２】
記憶部４５は、制御部４０により実行されるプログラム等を記憶する記憶領域である。記憶部４５は、前述した制御部４０の各種機能を実行する動作プログラム４６を記憶している。
可動部４７は、射出成形機４の少なくとも一部を構成し、動作を伴う部材であり、例えば、型締機構、突出し機構、射出機構、射出装置前後進機構、型厚調整機構等である。
通信部４９は、例えば、情報処理装置１及びロボット５等とデータの送受信を行う通信制御デバイスである。
【００２３】
［ロボット５］
ロボット５は、例えば、射出成形機４で製造した成形品を金型内から取り出したり、金型内にインサート部品を挿入したりするために用いる機械である。
ロボット５は、制御部５０と、記憶部５５と、通信部５９とを備える。
制御部５０は、ＣＰＵであってよく、記憶部５５に記憶されたロボット５を制御する各種のプログラムを実行することにより、ロボット５を統括制御する。
制御部５０は、信号処理部５１を備える。
【００２４】
信号処理部５１は、記憶部５５に記憶されたプログラムにしたがって、例えば、ロボット５が所定の状態になった場合に射出成形機４に対して送出する信号に対する処理を行う。また、信号処理部５１は、ロボット５が射出成形機４から受信した信号に対する処理を行う。この信号処理部５１は、制御部５０が記憶部５５に格納されたプログラムを実行することにより実現される。
【００２５】
記憶部５５は、制御部５０により実行されるプログラム等を記憶する記憶領域である。記憶部５５は、前述した制御部５０の各種機能を実行するプログラム（図示せず）を記憶している。
通信部５９は、例えば、情報処理装置１及び射出成形機４等とデータの送受信を行う通信制御デバイスである。
【００２６】
［撮影装置６、表示装置７及び記憶装置８］
撮影装置６は、射出成形機４の可動部４７の動作画像を撮影する、例えば、カメラである。撮影装置６は、射出成形機４の可動部４７の動作、及び、ロボット５と連動した射出成形機４の動作を撮影可能な位置に設けられている。
【００２７】
表示装置７は、例えば、タッチパネルディスプレイであり、作業者の指によるタッチ操作を受け付けるタッチパネルによる入力部としての機能と、ディスプレイによる表示部としての機能との両方の役割を担う。
なお、表示装置７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等により構成されたものであってもよい。その場合には、表示装置７の表示位置に対して操作が可能な、例えば、キーボード、マウス、コントローラ、スイッチボタン等の各種ボタン等の入力装置を、表示装置７とは別に備えてもよい。
【００２８】
記憶装置８は、情報処理装置１が取得した各種のデータを記憶させる記憶領域である。記憶装置８は、撮影装置６により取得した射出成形機４の可動部４７に係る動作画像を記憶する。また、記憶装置８は、物理量取得部１２が取得した射出成形機４の可動部４７に係る物理量を記憶する。さらに、記憶装置８は、信号状態取得部１３が取得した射出成形機４と、ロボット５との間の入出力信号の信号状態を記憶する。
【００２９】
［情報取得処理］
次に、本実施形態の情報処理装置１における処理を説明する。
最初に、各装置から情報を取得する情報取得処理について、図２に基づいて説明する。
図２のステップＳ（以下、ステップＳを、単にＳという。）１１において、情報処理装置１の制御部１０（画像取得部１１）は、撮影装置６から動作画像を取得する。そして、制御部１０は、取得した動作画像を、記憶装置８に記憶させる。
Ｓ１２において、制御部１０（物理量取得部１２）は、射出成形機４から可動部４７の物理量を取得する。そして、制御部１０は、取得した物理量を、記憶装置８に記憶させる。
【００３０】
Ｓ１３において、制御部１０（信号状態取得部１３）は、射出成形機４とロボット５との間の入出力信号の信号状態を、射出成形機４又はロボット５から取得する。具体的には、制御部１０は、例えば、ロボット５が射出成形機４に対して送信した入出力信号の信号状態を、射出成形機４から取得する。また、制御部１０は、例えば、射出成形機４がロボット５に対して送信した入出力信号の信号状態を、ロボット５から取得する。
そして、制御部１０は、取得した信号状態を、記憶装置８に記憶させる。
Ｓ１４において、制御部１０（工程取得部１４）は、射出成形機４で実行中の動作プログラム４６の工程情報を、射出成形機４から取得する。そして、制御部１０は、取得した工程情報を、記憶装置８に記憶させる。
【００３１】
ここで、Ｓ１１からＳ１４までの処理は、この順番で行われなくてもよい。情報処理装置１の制御部１０が、撮影装置６、射出成形機４及びロボット５から各種のデータを取得したタイミングで、記憶装置８に記憶させればよい。
また、制御部１０は、取得した各種のデータを、取得した時間情報に対応付けて記憶装置８に記憶させる。
図３は、取得した各種のデータを、取得時間に対応付けて記憶した記憶装置８の例を示す。
図３に示す例は、金型内から成形品を取り出す動作に関するものであり、取得時間に対応する動作画像と、物理量と、信号状態と、工程情報とが対応づけられている。なお、記憶装置８には、取得時間（ｔ）に対応した動作画像を対応付けて記憶している。
【００３２】
［閲覧画面処理］
次に、記憶装置８に記憶した各種のデータをもとに、閲覧画面を表示装置７に出力する処理について、図４に基づいて説明する。
図４のＳ２１において、情報処理装置１の制御部１０（グラフ生成部１５）は、成形サイクルの単位で、射出成形機４の可動部４７の物理量を示すグラフを生成する。
Ｓ２２において、制御部１０（グラフ生成部１５）は、成形サイクルの単位で、射出成形機４とロボット５との間の信号状態を示すグラフを生成する。
Ｓ２３において、制御部１０（表示編集処理部１６）は、生成したグラフと、取得した各種のデータとを時系列に配置した閲覧画面７０を生成し、表示装置７に出力する。
【００３３】
ここで、表示装置７に表示される閲覧画面７０について、図５に基づき説明する。
図５に示す閲覧画面７０は、金型内から成形品を取り出す動作に関する。
閲覧画面７０は、画像出力部７１と、再生時間出力部７２と、物理量グラフ出力部７３と、信号状態グラフ出力部７４と、工程出力部７５と、再生速度出力部７６とを含む。
画像出力部７１は、動作画像を出力する。この例では、画像出力部７１は、射出成形機４が金型内で成形品を製造し、ロボット５が成形品を金型内から金型外に取り出す一連の作業を、撮影装置６によって撮影した動作画像を出力する。また、画像出力部７１は、再生時間出力部７２と連携し、再生時間出力部７２により指定した時間（所定時間）の動作画像を出力する。さらに、画像出力部７１は、再生速度出力部７６と連携し、再生速度出力部７６により指定した速度で動作画像を再生する。
【００３４】
再生時間出力部７２は、送りボタン７２ａと、戻りボタン７２ｂと、再生位置マーク７２ｐとを含む。例えば、作業者が送りボタン７２ａを選択することで、再生位置マーク７２ｐが一定の速度で右方向に動き、それと共に、画像出力部７１の動作画像が先に進む。また、例えば、作業者が戻りボタン７２ｂを選択することで、再生位置マーク７２ｐが一定の速度で左方向に動き、それと共に、画像出力部７１の動作画像が戻る方向に進む。なお、送りボタン７２ａ及び戻りボタン７２ｂによる再生速度は、再生速度出力部７６に指定された再生速度による。
また、作業者は、再生位置マーク７２ｐを選択した状態で、右方向又は左方向に動かすことができる。そうすることで、再生位置マーク７２ｐが作業者の操作にしたがって動き、次に、作業者が操作を終わらせることで再生位置マーク７２ｐが静止したときには、その位置に対応した時間の動作画像が、画像出力部７１に出力される。
【００３５】
物理量グラフ出力部７３は、生成された物理量グラフを出力する。
ここで、グラフ７３ａは、射出成形機４の成形品突出し動作の位置に関するものである。
また、グラフ７３ｂは、射出成形機４の成形品突出し動作の速度に関するものである。
【００３６】
信号状態グラフ出力部７４は、生成された信号状態グラフを出力する。
ここで、グラフ７４ａは、射出成形機４からロボット５に対して送出された金型開き完了信号に関するものである。金型開き完了信号によって、ロボット５は、射出成形機４の内部への進入を行うことが可能になる。
また、グラフ７４ｂは、ロボット５から射出成形機４に対して送出された突出し開始信号に関するものである。突出し開始信号によって、射出成形機４では、突出しを行うことが可能になる。
さらに、グラフ７４ｃは、ロボット５から射出成形機４に対して送出された成形サイクル開始信号に関するものである。成形サイクル開始信号によって、射出成形機４は、次のサイクルに入ることが可能になる。
【００３７】
工程出力部７５は、射出成形機４で実行された動作プログラム４６の工程情報を出力する。図５に示す例では、型開のステップが終了すると共に、射出成形機４の可動部４７による動作が行われ、突出しのステップが終了すると共に、射出成形機４の可動部４７による動作が終了することを示す。
【００３８】
図４のＳ２４において、制御部１０は、作業者による所定の操作を受け付けたか否かを判断する。制御部１０は、例えば、図５に示す閲覧画面７０において、作業者による再生操作として送りボタン７２ａの選択操作を受け付けたか否かを判断してもよい。作業者による所定の操作を受け付けた場合（Ｓ２４：ＹＥＳ）には、制御部１０は、処理をＳ２５に移す。他方、作業者による所定の操作を受け付けていない場合（Ｓ２４：ＮＯ）には、制御部１０は、処理をＳ２６に移す。
【００３９】
Ｓ２５において、制御部１０（表示編集処理部１６）は、受け付けた操作に対応した処理を実行し、処理にしたがって閲覧画面７０を変化させる。例えば、作業者による送りボタン７２ａの選択操作を受け付けた場合には、制御部１０は、画像出力部７１に出力する動作画像を、再生速度出力部７６に指定された再生速度にしたがって再生させ、再生時間出力部７２の再生位置マーク７２ｐを、再生速度にしたがって移動させる。
そして、再生速度出力部７６の再生速度の設定を、例えば、ゆっくりしたものにすれば、設定が適切であるか否かを、閲覧画面７０を見ることでより確実に把握できる。
【００４０】
Ｓ２６において、制御部１０は、処理を終了するか否かを判断する。例えば、図示しない終了ボタンが選択されることで、制御部１０は、この処理を終了すると判断してもよい。処理を終了する場合（Ｓ２６：ＹＥＳ）には、制御部１０は、本処理を終了する。他方、処理を終了しない場合（Ｓ２６：ＮＯ）には、制御部１０は、処理をＳ２４に移す。
【００４１】
前述した図５では、金型内から成形品を取り出す動作に関する閲覧画面７０を説明した。しかし、他の動作に関する閲覧画面を表示させてもよい。
図６は、金型内へのインサート部品の装着動作に関する閲覧画面８０の例を示す。
閲覧画面８０は、画像出力部８１と、再生時間出力部７２と、物理量グラフ出力部８３と、信号状態グラフ出力部８４と、工程出力部８５と、再生速度出力部７６とを含む。
画像出力部８１は、この例では、射出成形機４の金型内にロボット５（インサート装置）がインサート部品を装着する際の一連の作業を、撮影装置６が撮影した動作画像を出力する。
【００４２】
物理量グラフ出力部８３は、生成された物理量グラフを出力する。
ここで、グラフ８３ａは、射出成形機４で駆動されるインサート部品の把持機構の位置に関するものである。
また、グラフ８３ｂは、射出成形機４で駆動されるインサート部品の把持機構の速度に関するものである。
【００４３】
信号状態グラフ出力部８４は、生成された信号状態グラフを出力する。
ここで、グラフ８４ａは、射出成形機４からロボット５に対して送出された移動許可信号に関するものである。移動許可信号によって、ロボット５は、射出成形機４の内部への進入を行うことが可能になる。
また、グラフ８４ｂは、ロボット５から射出成形機４に対して送出されたインサート位置への移動完了信号に関するものである。移動完了信号によって、射出成形機４では、インサート部品の把持を行うことが可能になる。
さらに、グラフ８４ｃは、ロボット５から射出成形機４に対して送出された成形サイクル開始信号に関するものである。成形サイクル開始信号によって、射出成形機４は、次のサイクルに入ることが可能になる。
閲覧画面８０では、工程出力部８５が示すインサート動作のステップ中に、グラフ８４ｂに示される移動完了信号が送出されることで、射出成形機４の可動部４７による動作が行われていることを示す。
【００４４】
このように、閲覧画面７０及び閲覧画面８０には、射出成形機４の可動部４７を撮影した動作画像を含み、再生位置マーク７２ｐによってどの時間（タイミング）の動作画像であるかを表示する。また、閲覧画面７０には、射出成形機４の可動部４７による物理量のグラフ７３ａ及び７３ｂと、射出成形機４とロボット５との間で送信される入出力信号のグラフ７４ａ〜７４ｃとを、再生時間出力部７２による時間にあわせて時系列に並べて表示する。他方、閲覧画面８０には、射出成形機４の可動部４７による物理量のグラフ８３ａ及び８３ｂと、射出成形機４とロボット５との間で送信される入出力信号のグラフ８４ａ〜８４ｃとを、再生時間出力部７２による時間にあわせて時系列に並べて表示する。さらに、動作プログラム４６の実行ステップを、工程情報として再生時間出力部７２による時間にあわせて表示する。
【００４５】
よって、作業者が閲覧画面７０や閲覧画面８０を見て、各装置の実際の設定が適切であるかといった確認や、どの工程の時間を、どの程度短縮可能であるか等を把握できるようになる。そのため、射出成形サイクルのサイクル時間を短縮するために、最適な可動部の物理量の設定や入出力信号のタイミング調整を行うことを可能にできる。
そして、閲覧画面７０や閲覧画面８０のように、射出成形機４と、ロボット５とが連動して動作を行う他の各処理について、同様の処理を行うことにより、射出成形サイクルのサイクル時間を短縮するための最適な可動部の物理量の設定や入出力信号のタイミング調整を行うことを可能にできる。
【００４６】
なお、本実施形態で使用するプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４７】
また、前述した実施形態は、本発明の好適な実施形態の１つではあるが、上記実施形態のみに本発明の範囲を限定するものではなく、本発明の要旨を逸脱しない範囲において種々の変更を施した形態での実施が可能である。
【００４８】
（変形例１）
前述した実施形態では、射出成形機の可動部に連動して動作を行う連動装置として、ロボットを例に説明したが、これに限定されない。例えば、成形品を取り出す装置である取出機等であってもよい。
【００４９】
（変形例２）
前述した実施形態では、閲覧画面として、動作画像と、物理量グラフと、信号状態グラフと、射出成形機で実行された動作プログラムのステップに係る工程情報とを出力するものとして説明したが、これに限定されない。全ての情報は、必須ではなく、例えば、工程情報等がなくても構わない。
また、前述した実施形態で説明した閲覧画面は、一例であって、他の表示方法であってもよい。
【００５０】
（変形例３）
前述した実施形態では、射出成形機で実行された動作プログラムのステップに係る工程情報を用いるものを例に説明したが、これに限定されない。例えば、ＣＮＣ（Ｃｏｍｐｕｔｅｒｉｚｅｄ  Ｎｕｍｅｒｉｃａｌ  Ｃｏｎｔｒｏｌ）装置で動作する射出成形機では、動作プログラムそのものであるＣＮＣプログラムのステップそのものであってもよい。
【００５１】
（変形例４）
前述した実施形態では、情報処理装置が、射出成形機及びロボットとは異なる装置であるものとして説明したが、これに限定されない。例えば、射出成形機が、情報処理装置の機能を有するようにしてもよい。そうすることによって、射出成形機が、ロボットからデータを直接受信して、情報処理装置と同様の処理を行うことができる。
また、情報処理装置とは別に、表示装置や記憶装置を有するものとして説明したが、情報処理装置が表示装置や記憶装置を有してもよい。
【００５２】
以上のように、本実施形態によれば、例えば以下の作用効果が得られる。
（１）  射出成形システム１００が、撮影装置６が撮影した射出成形機４の可動部４７の動作画像を取得する画像取得部１１と、射出成形機４から可動部４７の物理量を取得する物理量取得部１２と、射出成形機４と、射出成形機４の可動部４７に連動して動作を行うロボット５との間の入出力信号の信号状態を取得する信号状態取得部１３と、画像取得部１１が取得した所定時間における動作画像と、物理量取得部１２が取得した所定時間における物理量と、信号状態取得部１３が取得した所定時間における信号状態とを同時に閲覧可能な閲覧画面７０を、表示装置７に出力する表示編集処理部１６と、を備える。
これにより、作業者は、表示装置７に表示された閲覧画面７０によって、射出成形機４の可動部４７とロボット５の動作画像と、同じタイミングの可動部４７の物理量及び射出成形機４とロボット５との間の入出力信号の信号状態とを見ることができる。よって、作業者は、閲覧画面７０によって、可動部４７とロボット５の動作画像を確認しつつ、可動部４７の動作と、ロボット５の動作とに関するデータにより、信号のタイミングが適切であるか、成形品の把持が確実か否か等を容易に判定できる。その結果として、作業者は、十分な知識や経験に乏しくても、閲覧画面７０によって、射出成形サイクルのサイクル時間を短縮するための最適な可動部の物理量の設定や入出力信号のタイミングを調整することが可能になる。
【００５３】
（２）  （１）に記載の射出成形システム１００において、各取得部が取得した各々の情報を、時間情報に対応付けて記憶装置８に記憶させる情報記憶処理部を備え、表示編集処理部１６は、情報記憶処理部により記憶装置８から所定時間に対応した各々の情報を抽出させて、抽出した各々の情報を含む閲覧画面７０を、表示装置７に出力してもよい。
これにより、取得した各情報を記憶装置８に一元的に記憶することができる。そして、例えば、一連の処理を行った後に、記憶装置８に記憶された情報を用いて、閲覧画面７０を生成することができる。
【００５４】
（３）  （１）又は（２）に記載の射出成形システム１００において、物理量取得部１２が取得した物理量を成形サイクルの時間経過に対応させた物理量グラフと、信号状態取得部１３が取得した信号状態を成形サイクルの時間経過に対応させた信号状態グラフとを生成するグラフ生成部１５を備え、表示編集処理部１６は、生成した物理量グラフと、信号状態グラフとを含む閲覧画面７０を、表示装置７に出力してもよい。
これにより、時間の変化に伴う物理量や信号状態の変化を、より分かりやすく閲覧画面７０に示すことができる。
【００５５】
（４）  （３）に記載の射出成形システム１００において、成形サイクルの時間経過に対応させて所定時間の設定及び表示が可能な再生時間出力部７２を備え、表示編集処理部１６は、再生時間出力部７２を閲覧画面７０にさらに出力してもよい。
これにより、閲覧画面７０に表示する動作画像についての所定時間の設定及び表示を、作業者がしやすいものにできる。
【００５６】
（５）  （４）に記載の射出成形システム１００において、表示編集処理部１６は、動作画像を、成形サイクルの時間経過にしたがって再生表示させ、再生時間出力部７２の所定時間の表示を、再生表示に伴って変更させてもよい。
これにより、閲覧画面７０に表示する動作画像を、動画像として再生でき、再生時間を示すことができる。そのため、どのタイミングでどのような状態であるかを、一見して把握が可能になる。
【００５７】
（６）  （５）に記載の射出成形システム１００において、動作画像の再生表示速度の設定及び表示が可能な再生速度出力部７６を備え、表示編集処理部１６は、再生速度出力部７６を閲覧画面７０にさらに出力し、動作画像を、再生速度出力部７６により設定された再生表示速度にしたがって再生表示させてもよい。
これにより、閲覧画面７０に表示する動作画像の再生速度を、作業者が設定及び変更できる。
【００５８】
（７）  （１）から（６）までのいずれかに記載の射出成形システム１００において、射出成形機４の動作プログラム４６において実行中の工程情報を取得する工程取得部１４を備え、表示編集処理部１６は、工程取得部１４が取得した所定時間における工程情報をさらに含む閲覧画面７０を、表示装置７に出力してもよい。
これにより、閲覧画面７０には、動作プログラム４６の工程情報を含むため、動作プログラム４６の実行状態と、動作画像とを組み合わせて表示させることによって、より分かりやすい表示を行うことができる。
【００５９】
（８）  射出成形機４と、射出成形機４の可動部４７に連動して動作を行うロボット５と、撮影装置６と、表示装置７とに対して接続された情報処理装置１が、撮影装置６が撮影した射出成形機４の可動部４７の動作画像を取得する画像取得ステップと、射出成形機４から可動部４７の物理量を取得する物理量取得ステップと、射出成形機４と、ロボット５との間の入出力信号の信号状態を取得する信号状態取得ステップと、画像取得ステップが取得した所定時間における動作画像と、物理量取得ステップが取得した所定時間における物理量と、信号状態取得ステップが取得した所定時間における信号状態とを同時に閲覧可能な閲覧画面７０を、表示装置７に出力する表示編集処理ステップと、を含む。
これにより、（１）と同様の効果を情報処理装置１で実現できる。
【符号の説明】
【００６０】
１    情報処理装置
４    射出成形機
５    ロボット
６    撮影装置
７    表示装置
８    記憶装置
１０，４０，５０  制御部
１１  画像取得部
１２  物理量取得部
１３  信号状態取得部
１４  工程取得部
１５  グラフ生成部
１６  表示編集処理部
２０，４５，５５  記憶部
４１  可動部制御部
４２，５１  信号処理部
４６  動作プログラム
４７  可動部
７０，８０  閲覧画面
１００  射出成形システム
【図１】
2020175534.tif 000003
【図２】
2020175534.tif 000004
【図３】
2020175534.tif 000005
【図４】
2020175534.tif 000006
【図５】
2020175534.tif 000007
【図６】
2020175534.tif 000008